(57)【要約】【課題】表示パネルの周囲に部品が配置された構成であっても、表示パネルの照明手段と回路基板との接続・取り外しを容易に行うことを可能とする表示装置を提供する。【解決手段】本実施形態の表示装置は、表示パネル３と、表示パネル３を照射する照明手段９と、環状に形成されたＬＥＤ実装領域と、ＬＥＤ実装領域の内側の領域に形成された開口部とを有する回路基板１２と、照明手段９と、回路基板１２の表示パネル３と向かい合う面の反対の面とを、開口部を経由して接続するリード線１６と、を備える。これにより、本実施形態の表示装置は、表示パネル３の周囲にＬＥＤ等の部品が並んで配置された構成であっても、リード線１６と回路基板１２との接続箇所の周囲に十分な作業空間が確保され、照明手段９と回路基板１２との接続・取り外しの作業を容易に行うことが可能となる。【選択図】図７
2009276603.tif 000002
【特許請求の範囲】
【請求項１】
表示パネルと、
前記表示パネルを照射する照明手段と、
環状に形成された部品実装領域と、前記部品実装領域の内側の領域に形成された開口部とを有する回路基板と、
前記照明手段と、前記回路基板の前記表示パネルと向かい合う面の反対の面とを、前記開口部を経由して接続する接続体と、を備える
ことを特徴とする表示装置。
【請求項２】
前記回路基板の前記表示パネルと向かい合う面の反対の面に、前記接続体と接続するコネクタを備える
ことを特徴とする請求項１に記載の表示装置。
【請求項３】
前記接続体は、リード線である
ことを特徴とする請求項１または２に記載の表示装置。
【請求項４】
前記照明手段は、前記表示パネルを前面側から照明する
ことを特徴とする請求項１から３のいずれか１項に記載の表示装置。
【請求項５】
前記部品実装領域に、発光素子が並んで配置された
ことを特徴とする請求項１から４のいずれか１項に記載の表示装置。
【請求項６】
地震の主要動の到達までの余裕時間を取得する地震情報取得手段と、
前記各発光素子を制御する制御手段と、を備え、
前記制御手段は、地震表示モードにおいて、主要動の到達までの時間に応じた数の前記発光素子を点灯させて前記余裕時間を示す
ことを特徴とする請求項５に記載の表示装置。
【発明の詳細な説明】
【技術分野】
【０００１】
本発明は、液晶表示素子、電気泳動素子等の表示パネルを用いた表示装置に関する。
【背景技術】
【０００２】
従来から、液晶表示素子、電気泳動素子などの表示パネルを用いた表示装置が様々な用途で用いられており、装飾、補助照明等の目的で、表示パネルの周囲にＬＥＤなどの発光素子が並んで配置されたものが提案されている（例えば、特許文献１、２参照）。
また、このような表示装置は、表示パネルを照明する照明手段と、表示パネルおよび照明手段を駆動するための回路などが実装された回路基板とを備えている。この回路基板と照明手段とは、リード線などの接続体により接続される（例えば、特許文献３参照）。
【０００３】
【特許文献１】特許第３２３５３１２号公報（第４−５頁、図１、図５）
【特許文献２】特開２００１−１００６７３号公報（第２頁、図１、図３）
【特許文献３】特開平８−３６１７６号公報（第３頁、図１）
【発明の開示】
【発明が解決しようとする課題】
【０００４】
しかし従来の表示装置では、次のような問題がある。特許文献１および２に記載された表示装置では、回路基板に環状に発光素子が配置される。よって、特許文献３に示すように表示パネルを照明する照明手段を備える場合、照明手段と回路基板とを接続する接続体は、回路基板上の発光素子を遮らないように、発光素子が配置された領域の内側の領域で、回路基板と接続される。
このような構成では、接続体と回路基板との接続箇所の周囲に十分な作業空間がなく、照明素子と回路基板との接続・取り外しの作業を容易に行うことができない問題があった。
【０００５】
そこで本発明は、上記課題を解決し、表示パネルの周囲に部品が配置された構成であっても、表示パネルの照明手段と回路基板との接続・取り外しを容易に行うことを可能とする表示装置を提供することを目的とする。
【課題を解決するための手段】
【０００６】
上述した課題を解決し、目的を達成するため、本発明の表示装置は下記記載の構成を採用するものである。
【０００７】
本発明の表示装置は、表示パネルと、表示パネルを照射する照明手段と、環状に形成された部品実装領域と、部品実装領域の内側の領域に形成された開口部とを有する回路基板と、照明手段と、回路基板の表示パネルと向かい合う面の反対の面とを、開口部を経由して接続する接続体と、を備えることを特徴とするものである。
【０００８】
また、本発明の表示装置は、前述した構成に加えて、回路基板の表示パネルと向かい合う面の反対の面に、接続体と接続するコネクタを備えることを特徴とするものである。
【０００９】
さらに、本発明の表示装置は、前述した構成に加えて、接続体は、リード線であることを特徴とするものである。
【００１０】
さらに、本発明の表示装置は、前述した構成に加えて、照明手段は、表示パネルを前面側から照明することを特徴とするものである。
【００１１】
さらに、本発明の表示装置は、前述した構成に加えて、部品実装領域に、発光素子が並んで配置されたことを特徴とするものである。
【００１２】
さらに、本発明の表示装置は、前述した構成に加えて、地震の主要動の到達までの余裕時間を取得する地震情報取得手段と、各発光素子を制御する制御手段と、を備え、制御手段は、地震表示モードにおいて、主要動の到達までの時間に応じた数の発光素子を点灯させて余裕時間を示すことを特徴とするものである。
【発明の効果】
【００１３】
本発明の表示装置は、表示パネルを照明する照明手段と、回路基板の表示パネルと向かい合う面の反対の面とが、回路基板の開口部を経由した接続体により接続される。このため、表示パネルの周囲に部品が配置された構成であっても、接続体と回路基板との接続箇所の周囲に十分な作業空間が確保され、照明手段と回路基板との接続・取り外しの作業を容易に行うことが可能となる。
【発明を実施するための最良の形態】
【００１４】
以下図面を用いて、本発明の実施の形態を詳述する。以下においては、本実施形態の表示装置として、緊急地震速報を受信し、地震の揺れの予測情報を表示する地震警報装置を例として説明する。
［構成の説明：図１〜図１４］
まず、本実施形態の表示装置の外観について説明する。図１から図３は、本実施形態の表示装置１の外観図である。図１は正面図であり、図２は上面図であり、図３は側面図である。
【００１５】
図１から図３に示すように、本実施形態の表示装置１は、現在時刻などの情報を表示する表示パネル３が設けられた表示ケース４と、表示ケース４を安定的に設置するための土台部５とからなる筐体を有する。図１から図３に示す例では、視認性を高めるため、表示パネル３は曲面となるよう構成される。このため表示パネル３は、例えば、一般に電子ペーパーとして知られる電気泳動表示素子を用いた屈曲可能なディスプレイで構成される。表示パネル３の詳細な構成については後述する。
【００１６】
また、本実施形態の表示装置１は、後述する緊急地震速報を受信するための受信手段として、アンテナ２ａおよびチューナーを備えている。図１から図３に示す例では、アンテナ２ａは筐体の外部に飛び出して位置しているが、アンテナ２ａが筐体の内部に内蔵された構成であっても良い。また図２に示すように、本実施形態の表示装置１は、各種の操作を行うための操作スイッチ６および７を、土台部５および表示ケース４の背面上部にそれぞれ備える。
【００１７】
次に、本実施形態の表示装置の内部構成について説明する。図４は、本実施形態の表示装置１のブロック図である。本実施形態の表示装置１は、前述したアンテナ２ａおよびチューナーを備え、地震の発生時刻、発生位置および規模の情報を含む緊急地震速報を受信する受信手段２を備える。また、本実施形態の表示装置１は、現在時刻を計時するための計時手段１１を備える。
さらに本実施形態の表示装置１は、ＣＰＵ（Central Processing Unit）、ＲＡＭ（Random Access Memory）、ＲＯＭ（Read Only Memory）などを有して、各種の演算および各デバイスの制御を行う制御手段１０を備える。制御手段１０は、受信手段２、計時手段１０および操作スイッチ６、７と接続され、それぞれから制御手段１０に各情報が入力される。また、後述するように制御手段１０は、各情報から地震情報の演算を行うものであり、地震情報取得手段として機能する。
【００１８】
さらに本実施形態の表示装置１は、前述した表示パネル３と、発光素子が並んで配置されたカウントダウンＬＥＤ８と、表示パネル３を照明する照明手段９とを備える。制御手段１０は、表示パネル３、カウントダウンＬＥＤ８および照明手段９と接続され、それぞれの制御を行う。表示パネル３、カウントダウンＬＥＤ８および照明手段９の詳細な構成については後述する。
【００１９】
次に、本実施形態の表示装置１のカウントダウンＬＥＤ８の構成について説明する。図５は、カウントダウンＬＥＤ８の構成を示す説明図である。図５に示すようにカウントダウンＬＥＤ８は、表示ケース４の内側で表示パネル３の周囲に配置された異なる色の複数の発光素子（ＬＥＤ８ａ、８ｂ、８ｃ）から構成される。
図５に示す例では、各ＬＥＤ８ａ、８ｂ、８ｃは、表示パネル３の周囲を６０分割した位置にそれぞれ配置される。中央上部にＬＥＤ８ａ（例えば赤色ＬＥＤ）を配置し、このＬＥＤ８ａを基準に時計周りにＬＥＤ８ｃ（例えば白色ＬＥＤ）を４つ配置した後、ＬＥＤ８ｂ（例えば青色ＬＥＤ）を１つ配置するという順番で繰り返し配置する。
【００２０】
また、赤色のＬＥＤ８ａと青色のＬＥＤ８ｂとは、白色のＬＥＤ８ｃに比べ発光面積が大きくなるように構成する。
また、各ＬＥＤ８ａ、８ｂ、８ｃの点灯時は、発光光が表示ケース４を透過することで、表示ケース４の外部より各ＬＥＤの点灯を確認することができ、また各ＬＥＤの消灯時は、表示ケース４の外部よりＬＥＤが見えないように、表示ケース４を形成する樹脂および塗料を構成する。これにより、各ＬＥＤ８ａ、８ｂ、８ｃの点灯を際立たせ、視認性を向上させることができる。
なお、各ＬＥＤ８は、視認性を高めるために異なる色を用いるのであって、上述したような赤色、青色、白色に限定するものではなく他の色であってもよい。また、各ＬＥＤ８が同じ色であり、ＬＥＤ８ａ、８ｂ、８ｃでそれぞれ発光面積が異なる構成であってもよい。
【００２１】
次に、本実施形態の表示装置１の照明手段９の構成について説明する。図６は、照明ＬＥＤ９の構成を示す説明図である。図６に示すように表示装置１は、表示パネル３の周囲に配置され、矢印に示すように表示パネル３を前面側から照明する照明手段９を複数備える。各照明手段９はそれぞれ、例えば、赤色、青色、緑色の複数のＬＥＤ素子を備えており、各色のＬＥＤ素子の発光度合いを電気的に制御することで様々な色の照明光を実現することができる。
【００２２】
次に、本実施形態の表示装置１の、表示パネル３、照明手段９及び、表示パネル３と照明手段９とが接続される回路基板の構成について、図７から図１４を用いて詳細に説明する。
図７及び図８は、表示パネル３、照明手段９および回路基板１２の構成を示す斜視図である。図７は表示装置１の正面側からみた状態を示し、図８は表示装置１の背面側からみた状態を示す。図９及び図１０は、表示パネル３、照明手段９および回路基板１２の構成を示す平面図である。図９は表示装置１の正面側からみた状態を示し、図１０は表示装置１の背面側からみた状態を示す。
【００２３】
また図１１は、回路基板１２の平面図であり、表示装置１の正面側からみた状態を示す。
図１２は図９のＡ−Ａ’断面図である。図１３および図１４は図９のＢ−Ｂ’断面図である。図１３は、表示パネル３、照明手段９および回路基板１２の全体を示し、図１４は、照明手段９の近傍を拡大して示している。
なお図７では、図面表示上の問題から、後述する拡散部材１９を示さず、後述する固定
フレーム１８を示している。同様に、図９および図１２から図１４では、固定フレーム１８を示さず、拡散部材１９を示している。
【００２４】
図７に示すように、表示パネル３は、固定フレーム１８により回路基板１２に対して固定される。ここで表示パネル３は、前述したように、例えば電気泳動表示素子を用いた屈曲可能なディスプレイパネルであり、図１２に示すように湾曲した状態で固定される。
また図７に示すように、照明手段９が、表示パネル３の周囲の所定の位置に、固定フレーム１８により固定される。ここで照明手段９は、図１４に示すように、照明基板９ｂ上に照明ＬＥＤ９ａが実装された構成を備える。照明ＬＥＤ９ａは、前述したように、様々な色の照明光を実現するために、例えば、赤色、青色、緑色の複数のＬＥＤ素子を備える。
【００２５】
ここで、回路基板１２の構成について説明する。図１１に示すように、回路基板１２は、周縁部の近傍に環状に形成されたＬＥＤ実装領域１２ａを有する。このＬＥＤ実装領域１２ａの各ＬＥＤ実装部１２ａａに、前述したカウントダウンＬＥＤ８ａ〜８ｃが実装される。また、回路基板１２は、ＬＥＤ実装領域１２ａの内側の領域に開口部１２ｂと開口部１２ｃとを有する。また、回路基板１２は、前述した制御手段１０を構成するＣＰＵ、ＲＡＭ、ＲＯＭ等の各電子部品が配置される（図示せず）。
さらに、図８、１０及び１２に示すように、回路基板１２の、表示パネル３と向かい合う面の反対の面には、開口部１２ｂの近傍にコネクタ１５が配置される。
【００２６】
表示パネル３はＦＰＣ１３と接続され、表示パネル３と接続したＦＰＣ１３は、回路基板１２の開口部１２ｂを経由して、表示パネル３と向かい合う面の反対の面に配置されたコネクタ１５と接続する。これにより、表示パネル３は、回路基板１２上の制御手段１０を構成するＣＰＵ等と接続される。
また、照明手段９の照明基板９ｂはリード線１６と接続され、照明基板９ｂと接続したリード線１６は、回路基板１２の開口部１２ｃを経由して、回路基板１２の表示パネル３と向かい合う面の反対の面と半田などにより接続する。これにより、照明手段９は、回路基板１２上の制御手段１０を構成するＣＰＵ等と接続される。
【００２７】
このように、本実施形態の表示装置１は、表示パネル３と、回路基板１２の表示パネル３と向かい合う面の反対の面とが、回路基板１２の開口部１２ｂを経由したＦＰＣ１３により接続される。このため、ＦＰＣ１３と回路基板１２とが接続するコネクタ１５の周囲に十分な作業空間が確保され、表示パネル３と回路基板１２との接続・取り外しの作業を容易に行うことが可能となる。
【００２８】
なお上述した実施形態では、ＦＰＣ１３が、コネクタ１５により回路基板１２と接続する例を示したが、これとは別に、ＦＰＣ１３が半田などにより回路基板１２と接続する構成であってもよい。また表示パネル３が、ＦＰＣではなく、リード線などの他の接続体により、回路基板１２と接続する構成であってもよい。
このような構成であっても、接続体と回路基板との接続箇所の周囲に十分な作業空間が確保され、表示パネル３と回路基板１２との接続・取り外しの作業を容易に行うことが可能となる。
【００２９】
また、本実施形態の表示装置１は、照明手段９の照明基板９ｂと、回路基板１２の表示パネル３と向かい合う面の反対の面とが、回路基板１２の開口部１２ｃを経由したリード線１６により接続される。このため、リード線１６と回路基板１２との接続箇所の周囲に十分な作業空間が確保され、照明手段９と回路基板１２との接続・取り外しの作業を容易に行うことが可能となる。
【００３０】
なお上述した実施形態では、リード線１６と回路基板１２とが半田により接続する例を示したが、これとは別に、リード線１６と回路基板１２とがコネクタなどにより接続する構成であってもよい。また照明手段９が、リード線ではなく、ＦＰＣなどの他の接続体により回路基板１２と接続する構成であってもよい。
このような構成であっても、接続体と回路基板との接続箇所の周囲に十分な作業空間が確保され、照明手段９と回路基板１２との接続・取り外しの作業を容易に行うことが可能となる。
【００３１】
また図９に示すように、本実施形態の表示装置１は、光拡散性の材料により形成された枠状の拡散部材１９を、各照明手段９の内側に備える。これにより、図９の矢印に示すように、各照明手段９から発せられた光を拡散させて表示パネル３に対して照射することができる。
【００３２】
［動作の説明：図１５〜図１６］
次に、本実施形態の表示装置１の動作について説明する。本実施形態の表示装置１は、緊急地震速報を受信しない状態（通常状態）においては、通常表示モードで動作する。図１５は通常表示モードにおける表示装置１の状態を示す説明図である。図１５に示すように、通常表示モードにおいて、表示パネル３で一般の時計のように現在時刻、現在日付、現在の曜日などの表示を行う。
【００３３】
また通常表示モードにおいては、図１５の矢印（破線）に示すように、照明手段９で表示パネル３を照明する。このとき照明手段９は、例えば、赤色、青色、緑色のＬＥＤ素子を全て点灯して、白色の照明光で表示パネル３を照明する。さらに通常表示モードにおいては、カウントダウンＬＥＤ８は消灯した状態である。
【００３４】
また、本実施形態の表示装置１は、受信手段２により緊急地震速報を受信すると、地震表示モードで動作する。図１６は、地震表示モードにおける表示装置１の状態を示す説明図である。受信手段２で受信した緊急地震速報と、操作スイッチ６，７の操作などにより取得した現在の位置情報と、計時手段１１による現在時刻の情報とから、制御手段１０は現在位置における予測震度と主要動到達までの余裕時間をと演算する。
【００３５】
制御手段１０は、地震表示モードにおいて、図１６の矢印（破線）に示すように、算出した予測震度に応じた色により、照明手段９で表示パネル３を照明する。例えば、赤色および緑色のＬＥＤ素子の光の度合いを電気的に制御することにより、予測震度が震度３以下の場合は緑色、震度４以上震度５強未満の場合はオレンジ色、震度５強以上の場合は赤色の照明光で、表示パネル３を照明する。
【００３６】
また、制御手段１０は、算出した予測震度および余裕時間を表示パネル３により表示する。さらに、制御手段１０は、算出した余裕時間に応じた数のカウントダウンＬＥＤ８を点灯させる。具体的には、表示パネル３の周囲に配置されたＬＥＤ８ａ、８ｂ、８ｃのうち、中央上部に配置されたＬＥＤ８ａと、ＬＥＤ８ａから時計周りに余裕時間の秒数のＬＥＤ８ｂ、８ｃを点灯する。例えば、余裕時間が２３秒である場合、図１６に示すように、ＬＥＤ８ａと、ＬＥＤ８ａから時計周りに２３個のＬＥＤ８ｂ、８ｃを点灯する。
【００３７】
このように、本実施形態の表示装置１は、並んで配置された複数の発光素子（ＬＥＤ）からなるカウントダウンＬＥＤ８を備え、地震表示モードにおいて、主要動の到達までの時間に応じた数のカウントダウンＬＥＤ８を点灯させて余裕時間をカウントダウンして示す。これにより、人間に時計の文字盤を連想させ、文字のみで情報を表示する従来技術と比較して視認性が高くなり、余裕時間を瞬時に把握し、揺れの発生に備えた行動を早く起こすことが可能となる。
【００３８】
なお、図１６では、余裕時間の１秒を１個のＬＥＤ８を点灯して示す例を示したが、本発明はこれに限定されるものではなく、例えば、余裕時間の２秒を１個のＬＥＤ８を点灯して示す、または、余裕時間の１秒を２個のＬＥＤ８を点灯して示すとしてもよい。また、余裕時間に応じて点灯するＬＥＤ８の数を、操作スイッチ６、７等を用いて設定可能としてもよい。
【００３９】
上述した実施形態では、緊急地震速報を受信し、受信した緊急地震速報と、現在位置の位置情報と、現在時刻の情報とから予測震度および主要動到達までの余裕時間を演算し、演算した予測震度および余裕時間を表示する例を示した。しかし本発明はこれに限定されるものではなく、例えば、当該表示装置とは別の装置で予測震度および主要動到達までの余裕時間の演算を行い、当該表示装置は、他の装置で演算された予測震度および余裕時間を受信し、受信した予測震度および余裕時間を表示するとしてもよい。
【００４０】
また、上述した実施形態では、緊急地震速報を受信し、地震の揺れの予測情報を表示する地震警報装置を例として説明した。しかし本発明はこれに限定されるものではなく、例えば、装飾、補助照明等の目的で、表示パネルの周囲にＬＥＤなどの発光素子が並んで配置された、様々な用途の表示装置に適用可能である。
【００４１】
本発明の表示装置は、表示パネルを照明する照明手段と、回路基板の表示パネルと向かい合う面の反対の面とが、回路基板の開口部を経由した接続体により接続される。このため、表示パネルの周囲に部品が配置された構成であっても、接続体と回路基板との接続箇所の周囲に十分な作業空間が確保され、照明手段と回路基板との接続・取り外しの作業を容易に行うことが可能となる。
【図面の簡単な説明】
【００４２】
【図１】本実施形態の表示装置の正面図である。
【図２】本実施形態の表示装置の上面図である。
【図３】本実施形態の表示装置の側面図である。
【図４】本実施形態の表示装置のブロック図である。
【図５】本実施形態の表示装置のカウントダウンＬＥＤの構成を示す説明図である。
【図６】本実施形態の表示装置の照明手段の構成を示す説明図である。
【図７】表示パネル、照明手段および回路基板の構成を示す斜視図である。
【図８】表示パネル、照明手段および回路基板の構成を示す斜視図である。
【図９】表示パネル、照明手段および回路基板の構成を示す平面図である。
【図１０】表示パネル、照明手段および回路基板の構成を示す平面図である。
【図１１】回路基板の構成を示す平面図である。
【図１２】表示パネル、照明手段および回路基板の構成を示す断面図である。
【図１３】表示パネル、照明手段および回路基板の構成を示す断面図である。
【図１４】表示パネル、照明手段および回路基板の構成を示す断面図である。
【図１５】本実施形態の表示装置の通常表示モードの状態を示す説明図である。
【図１６】本実施形態の表示装置の地震表示モードの状態を示す説明図である。
【符号の説明】
【００４３】
１  表示装置
２  受信手段
２ａ  アンテナ
３  表示パネル
４  表示ケース
５  土台部
６、７  操作スイッチ
８、８ａ、８ｂ、８ｃ  カウントダウンＬＥＤ
９  照明手段
９ａ  照明ＬＥＤ
９ｂ  照明基板
１０  制御手段
１１  計時手段
１２  回路基板
１２ａ  ＬＥＤ実装領域
１２ａａ  ＬＥＤ実装部
１２ｂ  開口部
１２ｃ  開口部
１３  ＦＰＣ
１５  コネクタ
１６  リード線
１８  固定フレーム
１９  拡散部材
【図１】
2009276603.tif 000003
【図２】
2009276603.tif 000004
【図３】
2009276603.tif 000005
【図４】
2009276603.tif 000006
【図５】
2009276603.tif 000007
【図６】
2009276603.tif 000008
【図７】
2009276603.tif 000009
【図８】
2009276603.tif 000010
【図９】
2009276603.tif 000011
【図１０】
2009276603.tif 000012
【図１１】
2009276603.tif 000013
【図１２】
2009276603.tif 000014
【図１３】
2009276603.tif 000015
【図１４】
2009276603.tif 000016
【図１５】
2009276603.tif 000017
【図１６】
2009276603.tif 000018